(57)【要約】【課題】タイヤの表面に形成される所定形状のスリップライン等の成形部を、効率よく形成できるタイヤ加硫用モールドの製造方法を提供する。【解決手段】スリップサインに対応するスリップサイン対応形状３を、予めマスター型１に加工しておき、このマスター型１の表面を順次、ゴム型、石膏鋳型に転写し、この石膏鋳型を用いて鋳造することにより、製造するタイヤに対して所定形状のスリップサインを形成するスリップサイン成形部を、後加工することなく鋳造後のモールドに形成する。【選択図】    図１
2010000767.tif 000002
【特許請求の範囲】
【請求項１】
空気入りタイヤのバックアップ型の表面とマスター型の表面とが対向するように配置し、この対向した表面どうしの間の空間にゴム材料を充填してマスター型の表面を転写したゴム型を製造し、次いでゴム型の表面に石膏を流し込んでゴム型の表面を転写した石膏鋳型を製造し、次いで石膏鋳型の表面に溶融金属を流し込んで石膏鋳型の表面を転写したモールドを製造するタイヤ加硫用モールドの製造方法であって、タイヤの表面に形成されるトレッドの摩耗具合を示す所定形状に対応する形状、または、この所定形状の位置を示す所定表示に対応する表示を、予め前記マスター型に加工しておくタイヤ加硫用モールドの製造方法。
【請求項２】
空気入りタイヤのバックアップ型の表面とマスター型の表面とが対向するように配置し、この対向した表面どうしの間の空間にゴム材料を充填してマスター型の表面を転写したゴム型を製造し、次いでゴム型の表面に石膏を流し込んでゴム型の表面を転写した石膏鋳型を製造し、次いで石膏鋳型の表面に溶融金属を流し込んで石膏鋳型の表面を転写したモールドを製造するタイヤ加硫用モールドの製造方法であって、タイヤの表面に形成されるトレッドの摩耗具合を示す所定形状に対応する形状、または、この所定形状の位置を示す所定表示に対応する表示を、未完成状態で、予め前記マスター型に加工しておき、前記石膏鋳型の表面を転写したモールドに形成された前記未完成状態に加工した部分に対応する部分を、対応する所定形状の成形部または所定表示の成形部に最終加工するタイヤ加硫用モールドの製造方法。
【請求項３】
空気入りタイヤのバックアップ型の表面とマスター型の表面とが対向するように配置し、この対向した表面どうしの間の空間にゴム材料を充填してマスター型の表面を転写したゴム型を製造し、次いでゴム型の表面に石膏を流し込んでゴム型の表面を転写した石膏鋳型を製造し、次いで石膏鋳型の表面に溶融金属を流し込んで石膏鋳型の表面を転写したモールドを製造するタイヤ加硫用モールドの製造方法であって、タイヤの表面に形成されるトレッドの摩耗具合を示す所定形状に対応する位置を示す目印、または、この所定形状の位置を示す所定表示に対応する位置を示す目印を、予め前記マスター型に加工しておき、前記石膏鋳型の表面を転写したモールドに形成された前記目印に対応する部分を、その目印に対応する所定形状の成形部または所定表示の成形部に加工するタイヤ加硫用モールドの製造方法。
【発明の詳細な説明】
【技術分野】
【０００１】
本発明は、タイヤ加硫用モールドの製造方法に関し、さらに詳しくは、タイヤの表面に形成されるトレッドの摩耗具合を示す所定形状の成形部、または、この所定形状の位置を示す所定表示の成形部を、効率よく形成することができるタイヤ加硫用モールドの製造方法に関するものである。
【背景技術】
【０００２】
空気入りタイヤは、トレッド表面に、所定形状のスリップサインを有し、タイヤサイド表面に、スリップサインの位置を示すスリップサイン位置マークを有している。また、スノータイヤは、トレッド表面に、所定形状の５０％スノー摩耗限度標示を有している。このような所定形状や所定表示をタイヤに形成するために、タイヤ加硫用モールドには、これらの所定形状や所定表示を成形する成形部が設けられている（例えば、特許文献１参照）。
【０００３】
従来、タイヤ加硫用モールドを製造する際には、これら所定形状や所定表示を成形する成形部のないモールドを製造した後で、所定位置に切削等の後加工によって所定形状や所定表示を成形する成形部を設けていた。この成形部は１つのモールドに対して複数箇所から数十箇所設ける必要があるため、後加工には多大な工数を要し、また、後加工する箇所を特定するにも多くの工数を要していた。このように、従来の方法では作業が煩雑になり、これら成形部を効率よく形成できないという問題があった。
【特許文献１】特開平６−２２６７４６号公報
【発明の開示】
【発明が解決しようとする課題】
【０００４】
本発明の目的は、タイヤの表面に形成されるトレッドの摩耗具合を示す所定形状の成形部、または、この所定形状の位置を示す所定表示の成形部を、効率よく形成することができるタイヤ加硫用モールドの製造方法を提供することにある。
【課題を解決するための手段】
【０００５】
上記目的を達成するため本発明のタイヤ加硫用モールドの製造方法は、空気入りタイヤのバックアップ型の表面とマスター型の表面とが対向するように配置し、この対向した表面どうしの間の空間にゴム材料を充填してマスター型の表面を転写したゴム型を製造し、次いでゴム型の表面に石膏を流し込んでゴム型の表面を転写した石膏鋳型を製造し、次いで石膏鋳型の表面に溶融金属を流し込んで石膏鋳型の表面を転写したモールドを製造するタイヤ加硫用モールドの製造方法であって、タイヤの表面に形成されるトレッドの摩耗具合を示す所定形状に対応する形状、または、この所定形状の位置を示す所定表示に対応する表示を、予め前記マスター型に加工しておくことを特徴とするものである。
【０００６】
また、本発明の別のタイヤ加硫用モールドの製造方法は、タイヤの表面に形成されるトレッドの摩耗具合を示す所定形状に対応する形状、または、この所定形状の位置を示す所定表示に対応する表示を、未完成状態で、予め前記マスター型に加工しておき、前記石膏鋳型の表面を転写したモールドに形成された前記未完成状態に加工した部分に対応する部分を、対応する所定形状の成形部または所定表示の成形部に最終加工することを特徴とするものである。
【０００７】
また、本発明の別のタイヤ加硫用モールドの製造方法は、タイヤの表面に形成されるトレッドの摩耗具合を示す所定形状に対応する位置を示す目印、または、この所定形状の位置を示す所定表示に対応する位置を示す目印を、予め前記マスター型に加工しておき、前記石膏鋳型の表面を転写したモールドに形成された前記目印に対応する部分を、その目印に対応する所定形状の成形部または所定表示の成形部に加工することを特徴とするものである。
【発明の効果】
【０００８】
本発明によれば、タイヤの表面に形成されるトレッドの摩耗具合を示す所定形状に対応する形状、または、この所定形状の位置を示す所定表示に対応する表示を、予めマスター型に加工しておくことにより、鋳造後のモールドには所定形状の成形部または所定表示の成形部が形成されるので後加工が不要になる。
【０００９】
また、タイヤの表面に形成されるトレッドの摩耗具合を示す所定形状に対応する形状、または、この所定形状の位置を示す所定表示に対応する表示を、未完成状態で、予めマスター型に加工しておくことにより、鋳造後のモールドには、所定形状の成形部または所定表示の成形部が未完成状態で形成される。そのため、後加工する箇所を特定する必要がない。また、鋳造後のモールドに形成された未完成状態に加工した部分に対応する部分を最終加工することで、対応する所定形状の成形部または所定表示の成形部を短時間で形成することができる。
【００１０】
また、タイヤの表面に形成されるトレッドの摩耗具合を示す所定形状に対応する位置を示す目印、または、この所定形状の位置を示す所定表示に対応する位置を示す目印を、予めマスター型に加工しておくことにより、鋳造後のモールドには、所定形状の成形部または所定表示の成形部に対応する目印が形成される。そのため、後加工する箇所を特定する必要がなく、鋳造後のモールドに形成された目印に対応する部分を加工することにより、その目印に対応する所定形状の成形部または所定表示の成形部を形成することができる。
【００１１】
このように、本発明によれば従来に比して、タイヤの表面に形成されるトレッドの摩耗具合を示す所定形状の成形部、または、この所定形状の位置を示す所定表示の成形部を工数を低減して効率よく形成することが可能になる。
【発明を実施するための最良の形態】
【００１２】
以下、本発明のタイヤ加硫用モールドの製造方法を図に示した実施形態に基づいて説明する。
【００１３】
図１に例示する実施形態のマスター型１は、製造するタイヤを周方向に複数分割した分割体を形成するように作製されている。このマスター型１は、所定形状のスリップサインを有する部分を成形するモールドを製造するためのものである。スリップサインはタイヤの表面に形成されて、トレッドの摩耗具合を示す機能を有する。
【００１４】
マスター型１は、表面に溝対応部２を備え、この溝対応部２にスリップサイン対応形状３が形成されている。溝対応部２は、製造するタイヤの溝に対応する部分であり、スリップサイン対応形状３は、製造するタイヤのスリップサインに対応する部分である。スリップサイン対応形状３の溝深さｈは、製造するタイヤにおけるスリップサインの溝深さｈと同じに設定され、形状も同じになっている。このようにマスター型１の表面形状は、製造するタイヤと同じ表面形状になっている。
【００１５】
スリップサインを有しない部分を成形するモールドは、スリップサイン対応形状３を有していないマスター型１ａに基づいて製造される。このマスター型１ａの溝対応部２は、製造するタイヤにおける溝深さＨと同じに設定され、形状も同じになっている。
【００１６】
空気入りタイヤを製造する際には、それぞれのマスター型１、１ａに基づいて製造されたモールドを所定の配列に組み付けて加硫を行なう。
【００１７】
スリップサインを有する部分を成形するモールドは以下の手順によって製造する。まず、図２に例示するように、マスター型１の表面を上側にして型枠１０ａの中に配置する。型枠１０ａの上方には、バックアップ型６を配置して、バックアップ型６の表面とマスター型１の表面とを対向させた状態にする。このように対向させたバックアップ型６の表面と、マスター型１の表面との間の空間にゴム材料Ｒを充填する。充填したゴム材料Ｒが固化すると、マスター型１の表面を転写したゴム型７が製造されることになる。
次いで、図３に例示するように、製造したゴム型７の裏面にバックアップ型６の表面を密着させた状態にして、型枠１０ｂの中に配置する。そして、ゴム型７の表面に石膏Ｐを流し込む。流し込んだ石膏Ｐが固化すると、ゴム型７の表面を転写した石膏鋳型８が製造されることになる。
【００１８】
次いで、図４に例示するように、石膏鋳型８と一体化したゴム型７の裏面からバックアップ型６を取り外す。次いで、石膏鋳型８からゴム型７を変形させつつ引き剥がす。
【００１９】
次いで、図５に例示するように、石膏鋳型８の表面を上側にして型枠１０ｃの中に配置する。そして、石膏鋳型８の表面に、例えば、アルミニウム材料等の溶融金属Ｍを流し込む。流し込んだ溶融金属Ｍが固化した後、石膏鋳型８を除去すると、図６に例示するように、石膏鋳型８の表面を転写したモールド９が鋳造される。この鋳造されたモールド９の表面がタイヤの成形面９ａになり、この成形面９ａにはスリップサイン成形部９ｂが形成される。スリップサイン成形部９ｂの突起高さｈは、マスター型１のスリップサイン対応形状３の溝深さｈと同じになる。即ち、マスター型１に予め設けたスリップサイン対応形状３が、鋳造後のモールド９ではスリップサイン成形部９ｂとして反映される。
【００２０】
この実施形態では、鋳造後のモールド９に所定形状のスリップサイン成形部９ｂが形成されるので、スリップサイン成形部９ｂを形成するための後加工が不要になる。これに伴って、鋳造後のモールド９に対して、スリップサイン成形部９ｂを形成するための後加工を施す箇所を特定する必要もなくなる。
【００２１】
本発明においては、図７に例示するようなマスター型１を用いることができる。このマスター型１は、図１のマスター型１のようにタイヤに形成されるスリップサインと同じ形状のスリップサイン対応形状３を有するのではなく、未完成状態のスリップサイン対応形状４が形成されている。例えば、未完成状態のスリップサイン対応形状４の溝深さａは、製造するタイヤにおけるスリップサインの溝深さｈよりも大きく、製造するタイヤにおける溝深さＨよりも小さくなっている。
【００２２】
このマスター型１を用いて、上記実施形態と同様の手順を行なうと、図８に例示するモールド９が鋳造される。この鋳造されたモールド９の成形面９ａには未完成状態のスリップサイン成形部９ｃが形成される。未完成状態のスリップサイン成形部９ｃの突起高さａは、目標とするスリップサイン成形部９ｂの突起高さｈよりも大きくなっている。そこで、このスリップサイン成形部９ｃに対して、切削、切断等の後加工をすることによって、目標値の突起高さｈにした所定形状のスリップサイン成形部９ｂを形成する。
【００２３】
このように、未完成状態のスリップサイン対応形状４を、予めマスター型１に加工しておくことにより、後加工する箇所を特定する作業を不要にすることができる。また、未完成状態のスリップサイン成形部９ｃを最終加工すればよいので、所定形状のスリップサイン成形部９ｂを短時間で形成することができる。
【００２４】
本発明においては、図９に例示するようなマスター型１を用いることもできる。このマスター型１には、図１のマスター型１ａと同様にスリップサイン対応形状３がない溝対応部２が形成されている。マスター型１ａとの相違は、溝対応部２の溝底にスリップサインに対応する位置を示す目印５が形成されている点である。
【００２５】
このマスター型１を用いて、上記実施形態と同様の手順を行なうと、図１０に例示するモールド９が鋳造される。この鋳造されたモールド９の成形面９ａには突起高さＨの溝成形部９ｄが形成される。この溝成形部９ｄの上面にはマスター型１に設けた目印５に対応する部分５ａが形成される。そこで、目印５に対応する部分５ａに対して、切削、切断等の後加工を行なうことによって、目標値の突起高さｈにした所定形状のスリップサイン成形部９ｂを形成する。
【００２６】
このように、スリップサイン成形部９ｂに対応する位置を示す目印５を、予めマスター型１に加工しておくことにより、後加工する箇所を特定する必要がなる。そして、鋳造後のモールド９に形成された目印５に対応する部分５ａを加工することにより、所定形状のスリップサイン成形部９ｂを形成することができる。
【００２７】
既述した実施形態では、タイヤの表面に形成されるトレッドの摩耗具合を示す所定形状に対応する形状として、スリップサイン対応形状９ｂを例にして説明したが、これに限定されるものではない。例えば、スノータイヤのタイヤ表面に形成される所定形状の５０％スノー摩耗限度標示に対応する形状を、モールド９に形成する際にも、本発明を適用することができる。
【００２８】
また、スリップサインの位置を示すスリップサイン位置マークに対応する表示を、モールド９に形成する際にも、本発明を適用することができる。例えば、図１１に例示するように、スリップサイン位置マーク対応表示３ａを予めマスター型１に加工しておく。このようにスリップサイン位置マークと同じ表示３ａを加工しておくことにより、鋳造後のモールド９に対して、スリップサイン位置マーク成形部を形成するための後加工が不要になる。これに伴って、鋳造後のモールド９に対して、スリップサイン位置マーク成形部を形成するための後加工を施す箇所を特定する必要もなくなる。スリップサイン位置マーク対応表示３ａは、マスター型１に対して凹状または凸状に形成できるが、凹状にした方が容易に加工を行なうことができる。
【００２９】
マスター型１にスリップサイン位置マーク対応表示３ａを形成する際に、この周辺の溝形成ラインＬを修正することもできる。例えば、表示３ａとの干渉を回避するため、二点鎖線で示す溝成形ラインＬ１を溝成形ラインＬ２になるように加工する。これによれば、鋳造後のモールド９に対して、溝形成ラインＬ１を後加工して修正する必要がなくなる。
【００３０】
スリップサイン位置マーク対応表示３ａは、スリップサイン位置マークと同形状ではなく、未完成状態でマスター型１に形成することもできる。このように、未完成状態のスリップサイン位置マーク対応表示を、予めマスター型１に加工しておくことにより、鋳造後のモールド９に対して、後加工する箇所を特定する作業を不要にすることができる。また、この未完成状態の表示に対応する部分を最終加工すればよいので、所定形状のスリップサイン位置マークを短時間で形成することができる。
【００３１】
また、スリップサイン位置マークに対応する位置を示す目印を、予めマスター型１に加工しておくこともできる。これによれば、鋳造後のモールド９に対して、後加工する箇所を特定する必要がなくなる。また、鋳造後のモールド９に対して、その目印に対応する部分を加工することにより、所定形状のスリップサイン位置マーク成形部を形成することができる。
【図面の簡単な説明】
【００３２】
【図１】本発明に用いるマスター型を例示する断面図である。
【図２】ゴム型を製造する工程を例示する断面図である。
【図３】石膏鋳型を製造する工程を例示する断面図である。
【図４】石膏鋳型を取り外す工程を例示ずる断面図である。
【図５】モールドを鋳造する工程を例示する断面図である。
【図６】鋳造されたモールドを例示する断面図である。
【図７】本発明に用いる別のマスター型を例示する断面図である。
【図８】図７のマスター型を用いた際に鋳造されるモールドを例示する断面図である。
【図９】本発明に用いる別のマスター型を例示する断面図である。
【図１０】図９のマスター型を用いた際に鋳造されるモールドを例示する断面図である。
【図１１】本発明の別のマスター型の一部を例示する平面図である。
【符号の説明】
【００３３】
１、１ａ  マスター型
２  溝対応部
３  スリップサイン対応形状
３ａ  スリップサイン位置マーク対応表示
４  未完成状態のスリップサイン対応形状
５  目印
５ａ  目印に対応する部分
６  バックアップ型
７  ゴム型
８  石膏鋳型
９  モールド
９ａ  成形面
９ｂ  スリップサイン成形部
９ｃ  未完成状態のスリップサイン成形部
９ｄ  溝成形部
１０ａ、１０ｂ、１０ｃ  型枠
Ｍ  溶融金属
Ｐ  石膏
Ｒ  ゴム材料
Ｌ、Ｌ１、Ｌ２  溝成形ライン
【図１】
2010000767.tif 000003
【図２】
2010000767.tif 000004
【図３】
2010000767.tif 000005
【図４】
2010000767.tif 000006
【図５】
2010000767.tif 000007
【図６】
2010000767.tif 000008
【図７】
2010000767.tif 000009
【図８】
2010000767.tif 000010
【図９】
2010000767.tif 000011
【図１０】
2010000767.tif 000012
【図１１】
2010000767.tif 000013